(57)【特許請求の範囲】
【請求項１】
床パネルの最外縁の根太である側根太、この側根太と直交して接合された端根太、及びこの端根太の下側に取り付けられた継ぎ下枠とが組まれて形成されてなる方形の床パネルであって、上記端根太と上記継ぎ下枠とは略同じ幅に形成されるとともに、上記端根太の両端に上記側根太の端部を嵌め込む切欠きが側根太の幅と略同じ幅だけ残して設けられており、この切欠きに上記側根太の端部を嵌め込んで上記継ぎ下枠の上面に載せて接合させることを特徴とする床パネル。
【請求項２】
請求項１記載の床パネルの対向する２対の側縁の少なくとも１対の側縁の夫々に沿って壁パネルが立設され、この壁パネルの上部に天井パネルが取付けられるか、又は取付けられずに組み立てられたことを特徴とする建物ユニット。
【発明の詳細な説明】
【０００１】
【発明の属する技術分野】
本発明は、床パネル及び該床パネルが用いられた建物ユニットに関する。
【０００２】
【従来の技術】
住宅の工業生産化を図る一方式である建物ユニット方式は、運搬可能な所定の大きさの立体的な建物ユニットを工場で組み立て、その複数を建築現場で接合して建物を完成させるものであり、この建物ユニットは、通常、床パネル、壁パネル及び必要に応じ天井パネルとが組み立てられて構成される。
【０００３】
従来、例えば、図３に示すように、建物ユニットに用いられる床パネル１０としては、根太１１、１１……と最外縁の側根太１２、１２に直交してその木口と突きつけの状態で端根太１３、１３が釘２７により接合されて方形の枠組みとされ、根太１１、１１……及び側根太１２、１２の間に架け渡された受け材１４、１４……も取り付けられ床枠組みが構成され、この床枠組みの上面に面材１５が取り付けられて構成されている。
【０００４】
さらに、この床パネル１０の裏側において端根太１３の下側に、継ぎ下枠２２がこの端根太１３の長さ方向に沿って取り付けられており、その一方の側縁部２３が端根太１３よりも床パネル１０の内側へ突出されている。通常、この継ぎ下枠２２には、その長さ方向に沿って所定の間隔で複数個のボルト挿通孔（図示せず）が設けられており、このボルト挿通孔には、基礎アンカーボルト又は上階と下階の建物ユニットを緊結する連結ボルトが挿通され、上記アンカーボルト又は連結ボルトの締結により堅牢な躯体構造が構成される。
【０００５】
【発明が解決しようとする課題】
上記床パネルに、階段等の吹き抜けのような空間が必要な場合には、例えば、図４に示された床パネル１０１のように、側根太１２、１２、端根太１３１、受け材１４で囲まれた開口部Ａが設けられる。
しかし、開口部Ａが設けられて根太１１が減少したことによりこの床パネルは、外部からの曲げや捩じりに対して弱くなり、この補強のために端根太１３１の横幅を拡大することが必要となるが、端根太１３１の横幅拡大により、従来の端根太１３から床パネル１０の内側へ突出されていた継ぎ下枠２２の側端部２３は端根太１３１の下部に隠れることとなり、側根太１２、１２にかかる荷重を継ぎ下枠２２により支えることが不能となる問題が生じる。
【０００６】
この問題を解決するため、梁受け金具等を用いる方法があるが、この方法では余分な部品やその取り付け作業が増加して生産性を阻害し、またコストも上昇する。
【０００７】
また、図５（図４のＢの一角のみを示す）に示すように、端根太１３１を短くし、継ぎ下枠２２に側根太１２の端部を載せ、側根太１２の側面から端根太１３１の木口に釘２７により接合する方法も考えられるが、この方法では釘打ちの方向を９０°変更しなくてはならず、従来の床パネル製造装置が使用できず、また作業スペースも変更を要する等の新たな問題を生じる。
【０００８】
本発明の目的は、上述の事情を考慮してなされたものであり、開口部を有する床パネルであっても、余分な部品を必要とせず、従来の製造装置がそのまま使用でき、生産性が阻害されず、コストも上昇しない床パネル、及び該床パネルを用いた建物ユニットを提供することにある。
【０００９】
【課題を解決するための手段】
請求項１に記載の床パネル（以下、本発明１という）は、床パネルの最外縁の根太である側根太、この側根太と直交して接合された端根太、及びこの端根太の下側に取り付けられた継ぎ下枠とが組まれて形成されてなる方形の床パネルであって、上記端根太と上記継ぎ下枠とは略同じ幅に形成されるとともに、上記端根太の両端に上記側根太の端部を嵌め込む切欠きが側根太の幅と略同じ幅だけ残して設けられており、この切欠きに上記側根太の端部を嵌め込んで上記継ぎ下枠の上面に載せて接合させることを特徴とする。
【００１０】
請求項２に記載の建物ユニット（以下、本発明２という）は、本発明１の床パネルの対向する２対の側縁の少なくとも１対の側縁の夫々に沿って壁パネルが立設され、この壁パネルの上部に天井パネルが取付けられるか、又は取付けられずに組み立てられたことを特徴とする。
【００１１】
【作用】
本発明１の床パネルは、床パネルの最外縁の根太である側根太、この側根太と直交して接合された端根太、及びこの端根太の下側に取り付けられた継ぎ下枠とが組まれて形成されてなる方形の床パネルであって、上記端根太の両端に上記側根太の端部を嵌め込む切欠きが設けられており、この切欠きに上記側根太の端部が嵌め込まれ接合されているので、上記床パネルに開口部が設けられていても強度は十分確保されており、余分な部品を必要とせず、従来の製造装置がそのまま使用でき、生産性が阻害されず、コストも上昇しない。
【００１２】
本発明２の建物ユニットは、本発明１の床パネルの対向する２対の側縁の少なくとも１対の側縁の夫々に沿って壁パネルが立設され、この壁パネルの上部に天井パネルが取付けられるか、又は取付けられずに組み立てられているので、上記床パネルに開口部が設けられていても、この建物ユニットの強度は十分確保されており、余分な部品を必要とせず、従来の製造装置がそのまま使用でき、生産性が阻害されず、コストも上昇しない。
【００１３】
【発明の実施の形態】
以下、本発明の実施の形態を、図面に基づいて説明する。
図１は、本発明１の床パネルの実施の一例を示す一部切欠斜視図である。
【００１４】
図１に示す床パネル１は、方形であって短辺を構成する端根太４０、４０はその両端に、最外縁の側根太１２、１２の端部を嵌め込む切欠きが設けられて横幅が狭くなされた端部４１、４１……を有しており、この端部４１、４１……の側面に上記側根太１２、１２の木口を当接させて端根太４０、４０と上記側根太１２、１２とを直交させ釘２７により接合されて方形の枠組みとされている。
【００１５】
上記側根太１２、１２の間に架け渡された受け材１４及びこの受け材１４から直角方向に、つまり側根太１２と平行方向に根太１１、１１……も取り付けられて床枠組みが構成され、かくして、側根太１２、１２、端根太４０及び受け材１４で囲まれた方形の開口部Ａが形成されている。この床枠組みの開口部Ａ以外の上面に面材１５が取り付けられて床パネル１が構成されている。
【００１６】
さらに、この床パネル１の裏側において端根太４０の下側に、継ぎ下枠２２が端根太４０の長さ方向に沿って取り付けられており、従って側根太１２の端部は上記継ぎ下枠２２の上面に載せられて接合され、上記側根太１２の荷重は継ぎ下枠２２に支持される形となされている。
この継ぎ下枠２２には、その長さ方向に沿って所定の間隔で複数個のボルト挿通孔（図示せず）が設けられており、このボルト挿通孔には、基礎アンカーボルト又は上階と下階の建物ユニットを緊結する連結ボルトが挿通される。
【００１７】
本実施例において、上記根太１１及び側根太１２として幅３８ｍｍ×高さ２３５ｍｍの木材を、上記端根太４０としては幅８９ｍｍ×高さ２３５ｍｍの木材を用い、端根太４０の端部４１は幅３８ｍｍ×高さ２３５ｍｍ、長さ（端根太４０の木口からの切欠き長さ）は３８ｍｍとして側根太１２の幅と同一とした。また、継ぎ下枠２２としては、幅８９ｍｍ×高さ３８ｍｍの木材を用いた。
また、本実施例においては、面材１５として厚さ２０ｍｍの構造用合板を用い、開口部Ａ以外の床枠組みの上面に取り付けた。
【００１８】
さらに、側根太１２も補強のため８９ｍｍ×２３５ｍｍと断面を大きくする場合があるが、このような場合には端根太４０の端部の切欠きを側根太断面に合わせて大きくすればよい。
【００１９】
図２は、本発明２の建物ユニット２の実施の一例を示す一部切欠き斜視図である。１は本発明１の床パネルであり、１６、１６、１６は壁パネルであって、上記床パネル１の側縁に沿って立設されている。本実施例では床パネル１の３方に壁パネル１６が立設されているが、建物ユニット１がどの箇所を構成するかによって立設され、少なくとも相対向する一対の側縁に沿って立設される。
【００２０】
各壁パネル１６は、縦枠１７、上枠１８及び下枠１９により組み立てられた壁枠組みからなる。本実施例においては、縦枠１７、上枠１８、下枠１９もに３８ｍｍ×８９ｍｍの木材を用いた。また、この壁枠組みの内面及び外面には該建物ユニットの使用箇所に応じて内面材２５及び／又は外面材２６が取り付けられ、さらに必要に応じ内装、外装の仕上げも施される。
【００２１】
図２に例示した建物ユニット２には天井パネルは取り付けられていない。それは壁パネル１６の上には別途用意した屋根を取り付けるか、或いはこの上に載置し取り付ける上階の建物ユニットの床パネルを下階の建物ユニットの天井として利用するようになしたからであるが、本発明２の建物ユニット２としては天井パネルが取り付けられたものであってもよい。
【００２２】
【発明の効果】
本発明１の床パネルの構成は上述の通りであり、本発明によれば、この床パネルに開口部が設けられていても強度は十分確保されており、余分な部品を必要とせず、従来の製造装置がそのまま使用でき、生産性が阻害されず、コストも上昇しない。
【００２３】
本発明２の建物ユニットの構成は上述の通りであり、本発明によれば、この建物ユニットに用いられる床パネルに開口部が設けられていても、この建物ユニットの強度は十分確保されており、余分な部品を必要とせず、従来の製造装置がそのまま使用でき、生産性が阻害されず、コストも上昇しない。
【図面の簡単な説明】
【図１】本発明１の床パネルの実施の一例を示す一部切欠斜視図。
【図２】本発明２の建物ユニットの実施の一例を示す一部切欠斜視図。
【図３】従来の床パネルを示す一部切欠斜視図。
【図４】従来の床パネルの他の一例を示す一部切欠斜視図。
【図５】図４の角部の一部を示す斜視図。
【符号の説明】
１、１０、１０１        床パネル
１１                    根太
１２                    側根太
１３、１３１、４０      端根太
１４                    受け材
１５、２５、２６        面材
１７、１８、１９        枠材
２                      建物ユニット
２２                    継ぎ下枠
２３                    継ぎ下枠の側縁部
２７                    釘
４１                    端根太の切欠きされた端部
【図１】
0003877421.tif 000002
【図２】
0003877421.tif 000003
【図３】
0003877421.tif 000004
【図４】
0003877421.tif 000005
【図５】
0003877421.tif 000006